(57)【要約】【課題】  ケース内における液体の汚染の広がりを改善する液体吐出装置を提供すること。【解決手段】  プリンタ１００は、吐出ヘッド１２およびそれを走査する走査機構を覆うケース２０を備え、ケース２０の上面部２０ａと側面部２０ｂとの接する箇所に、通気口３０，３０が設けられている。通気口３０，３０は、吐出ヘッド１２の走査によってケース２０内に発生する気流の排出経路をなしており、ケース２０内の雰囲気中に含まれるミストを当該気流によって通気口３０付近に集中させることができる。【選択図】      図３
2006231586.tif 000002
【特許請求の範囲】
【請求項１】
液体を吐出対象物に対して吐出する吐出ヘッドと、
前記吐出ヘッドを一定方向に往復動させる走査手段と、
前記吐出ヘッドおよび前記走査手段を覆うケースと、
前記ケースに穿設された貫通孔であって、前記吐出ヘッドの往復動によって当該ケース内に発生する気流の排気経路をなす通気口と、を備えることを特徴とする液体吐出装置。
【請求項２】
前記ケース内の雰囲気に含まれる微粒子化した前記液体を捕集する捕集手段を前記通気口の近傍に備えることを特徴とする請求項１に記載の液体吐出装置。
【請求項３】
前記ケース内の気流を前記通気口へ導く誘導手段を備えることを特徴とする請求項１または２に記載の液体吐出装置。
【請求項４】
前記誘導手段は、前記ケース内の気流の流れを制御する整流部材で構成されることを特徴とする請求項３に記載の液体吐出装置。
【請求項５】
前記通気口は、前記吐出ヘッドの往復動の延長上にあたる箇所の近傍に設けられていることを特徴とする請求項１ないし４のいずれか一項に記載の液体吐出装置。
【請求項６】
前記通気口は、前記往復動における往路の向きと復路の向きとに対応した両側に設けられていることを特徴とする請求項５に記載の液体吐出装置。
【請求項７】
前記ケースは、前記吐出対象物の前記液体を受ける面とほぼ対向するように展延された上面部を備えていて、
前記通気口は、前記上面部の近傍に形成されていることを特徴とする請求項１ないし６のいずれか一項に記載の液体吐出装置。
【発明の詳細な説明】
【技術分野】
【０００１】
本発明は、インクジェットプリンタ、ディスプレー製造装置、電極形成装置、あるいは、バイオチップ製造装置など、液体を吐出して描画等を行う液体吐出装置に関する。
【背景技術】
【０００２】
従来、液体吐出装置として、紙への印刷に適したインクジェットプリンタ等が知られており、一般的には、一定方向に往復動するキャリッジに、液体（インク）を微小なノズルから吐出する吐出ヘッドを搭載した構成である。そして、印刷用紙を一方向に送ると共に、印刷用紙の送り方向に垂直に吐出ヘッドを往復動（走査）させ、印刷用紙上にインク滴を吐出して画像を形成するものである。
【０００３】
このインクジェットプリンタを用いて、印刷用紙の縁部に余白を残すことなく印刷用紙の表面の全体に対して印刷（いわゆる四辺縁無し印刷）を施す場合、印刷用紙およびキャリッジの位置ずれに対する余裕を考慮して、印刷用紙のサイズよりもやや広い領域に対して印刷を行うようにしている。すなわち、印刷用紙の前後縁（用紙送り方向に延在する縁）および左右の側縁（ヘッド走査方向に延在する縁）の部分に余白を残すことなく印刷を施すために、印刷用紙に対する吐出ヘッドの走査範囲をこれら前後縁、側縁の外側にまで広げてインク滴の吐出を行うものである。そして、印刷用紙から外れた領域に向けて吐出されたインク滴は、記録ヘッドに対向して印刷用紙の裏面側に配置されたインク吸収部材（スポンジ等）で吸収するようにしている（例えば、特許文献１）。
【０００４】
【特許文献１】特開２００２−１０３５８６号公報
【発明の開示】
【発明が解決しようとする課題】
【０００５】
ところが、インク吸収部材は印刷用紙の裏面側に離間して配置されており、ノズル開口からインク吸収部材の露出面までの距離は、ノズル開口から印刷用紙までの距離に比べて長い。このため、印刷用紙から外れた領域に向けてインク滴が吐出された場合、ノズル開口から吐出されたインク滴が空気抵抗を受けて減速し、インク吸収部材まで到達せずにミスト化してしまう場合があった。特に、画質を向上させるためにインク滴の体積（重量）を小さくすると、空気抵抗による減速の度合いが大きくなってインク滴がミスト化しやすくなる。
さらに、インクジェットプリンタの内部はケースによって囲まれたほぼ閉じられた空間であるために、キャリッジが移動することで空気が押し出され、ケース内を循環する気流を発生させてしまう。そして、ミスト化したインク滴がこの気流に乗ってケース内の至るところに運ばれることで、ケース内における印刷用紙の経路や電気回路の端子部などにインクが付着し、印刷物の汚れやインクジェットプリンタの故障を招く虞がある。
【０００６】
本発明は、上述の課題を解決するためになされたもので、ケース内における液体の汚染の広がりを改善する液体吐出装置を提供することを目的としている。
【課題を解決するための手段】
【０００７】
本発明の液体吐出装置は、液体を吐出対象物に対して吐出する吐出ヘッドと、前記吐出ヘッドを一定方向に往復動させる走査手段と、前記吐出ヘッドおよび前記走査手段を覆うケースと、前記ケースに穿設された貫通孔であって、前記吐出ヘッドの往復動によって当該ケース内に発生する気流の排気経路をなす通気口と、を備えることを特徴とする。
好ましくは、前記液体吐出装置は、前記ケース内の雰囲気に含まれる微粒子化した前記液体を捕集する捕集手段を前記通気口の近傍に備えることを特徴とする。
【０００８】
この発明の液体吐出装置によれば、ケース外への排気経路をなす通気口によって、吐出ヘッドの往復動によって発生した気流を通気口付近に集中させることができるため、ケース内に浮遊する微粒子化した液体を当該気流に乗せて通気口付近に集中させることができる。これにより、ケース内全体への当該微粒子の分散を低減することができる。また、好ましくは、通気口の近傍に捕集手段を設けることにより、排気される空気に含まれる当該微粒子が効果的に除去され、機体外の汚染防止を図ることができる。
【０００９】
好ましくは、前記液体吐出装置は、前記ケース内の気流を前記通気口へ導く誘導手段を備えることを特徴とする。
さらに好ましくは、前記誘導手段は、前記ケース内の気流の流れを制御する整流部材で構成されることを特徴とする。
【００１０】
この発明の液体吐出装置によれば、誘導手段によって気流の通気口への集中の効率が向上するので、上述の発明の効果をより向上させることができる。好ましくは、誘導手段を整流部材で構成することにより簡易な構成とすることができる。
【００１１】
好ましくは、前記液体吐出装置において、前記通気口は、前記吐出ヘッドの往復動の延長上にあたる箇所の近傍に設けられていることを特徴とする。
さらに好ましくは、前記通気口は、前記往復動における往路の向きと復路の向きとに対応した両側に設けられていることを特徴とする。
【００１２】
この発明の液体吐出装置によれば、吐出ヘッドの往復動によってケース内の空気が通気口へ積極的に押し出されるので、気流の通気口への集中の効率が向上する。好ましくは、通気口を往路の向きと復路の向きとに対応した両側に設けることで、一方の通気口が排出経路をなすと共に他方の通気口がケース内への吸気経路として機能するため、総合的に当該排出の効率を向上させることができる。
【００１３】
好ましくは、前記液体吐出装置において、前記ケースは、前記吐出対象物の前記液体を受ける面とほぼ対向するように展延された上面部を備えていて、前記通気口は、前記上面部の近傍に形成されていることを特徴とする。
本願発明者によれば、ケース内の上面部の近傍は、構造上微粒子化した液体が特に滞留しやすい箇所となっているため、上面部の近傍に通気口を設けることで当該微粒子の回収の効率を向上させることができる。
【発明を実施するための最良の形態】
【００１４】
以下、本発明の好適な実施の形態を添付図面に基づいて詳細に説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００１５】
図１は、プリンタの内部構造の一例を示す概略斜視図である。
図１において、液体吐出装置としてのプリンタ１００は、吐出対象物としての用紙６の印刷面６ａに液体としてのインクを吐出して画像等の描画（印刷）を行う装置である。このプリンタ１００は、スチール製のフレーム基体９と、インクを吐出する吐出ヘッド１２と、吐出ヘッド１２を搭載するキャリッジ１と、キャリッジ１を一定の方向に往復動（走査）させるキャリッジ移動機構８と、用紙６を裏面側から支持するプラテン５とを備えている。ここで、フレーム基体９は、その剛性と重量によって機構全体の土台をなすと共に、電気的なアースとしての機能を果たしている。
【００１６】
吐出ヘッド１２から吐出するインクには、例えば、ブラック、マゼンタ、シアン、イエローの４色のものが使用され、キャリッジ１上に搭載されたインクカートリッジ７に収容されている。このインクカートリッジ７の底部にはインクを導出する導出部（図示せず）が設けられており、吐出ヘッド１２に設けられたインク導入部（図示せず）と結合して、吐出ヘッド１２にインクを供給するようになっている。
【００１７】
キャリッジ移動機構８は、キャリッジ１に動力を伝達するタイミングベルト３と、キャリッジ１を支持すると共にその移動方向を規定するガイドロッド４とを備えている。そして、このタイミングベルト３はＤＣモータ等のモータ２により駆動される。かくして、モータ２を回転駆動すると、キャリッジ１に搭載された吐出ヘッド１２は、プリンタ１００に架設されたガイドロッド４に案内されてガイドロッド４の伸長方向（走査方向）に往復動（走査）する。すなわち、キャリッジ１およびキャリッジ移動機構８は、走査手段を構成している。
また、用紙６は、プラテン５周辺の搬送機構１７（図２参照）により、走査方向に直交する方向（給紙方向）に搬送されるようになっている。
【００１８】
上述の構成において、吐出ヘッド１２を用紙６に対して相対移動させつつ、吐出ヘッド１２のノズルからインクを液滴（インク滴）として吐出することにより、用紙６上における所望の位置にインク滴が着弾して画像が形成される。
【００１９】
プリンタ１００の非記録領域であるホームポジションには、吸引手段としてのメンテナンス機構１０が配設されている。
メンテナンス機構１０は、図の上方側が開放された箱型の弾性部材であるキャップ部材１３を備えている。キャップ部材１３は、吐出ヘッド１２のノズル形成面１２ａ（図５参照）に密着してノズルの開口を封止する（キャッピング）ことで、未使用状態における当該ノズルの保全を図るものである。また、キャッピングの状態から、キャップ部材１３の内底部の連通口（図示せず）と通じる吸引ポンプ（図示せず）を動作させることにより、封止された空間を減圧してノズルからインクを強制的に吸引することができる。
キャップ部材１３の印刷領域側の近傍には、板状に成型された弾性部材を備えたワイピング手段１１が吐出ヘッド１２の移動軌跡に対して例えば水平方向に進退できるように配置されている。ワイピング手段１１は、キャリッジ１がキャップ部材１３側に往復移動するに際して、必要に応じて吐出ヘッド１２のノズル形成面１２ａ（図５参照）を払拭することができるように構成されている。
【００２０】
図２は、プラテン及びその周辺を拡大して示した平面図である。
図２において、搬送機構１７は、用紙６を挟み込んでプラテン５上へ送るために互いに対向配置された給紙ローラ１４ａ、１４ｂと、印刷された用紙６を排出するために互いに対向配置された排紙ローラ１５ａ、１５ｂと、を備えている。なお、給紙ローラ１４ａ及び排紙ローラ１５ａは従動ローラであり、給紙ローラ１４ｂ及び排紙ローラ１５ｂは駆動ローラである。
【００２１】
図２に示すように、プラテン５は、用紙６を支持する支持部材５ｇの一部が切り欠かれて形成された、給紙方向Ｆと平行な方向に延びる複数のインク受け縦部分５ｃ、５ｄ、５ｅ、５ｆと、給紙方向Ｆに対して直交するヘッド走査方向に延びる複数のインク受け横部分５ａ、５ｂとを備えている。
これらのインク受け部分５ａ、５ｂ、５ｃ、５ｄ、５ｅ、５ｆには、いずれも、吐出ヘッド１２から吐出されたインクを吸収するインク吸収部材１６が配置されている。インク吸収部材１６は、スポンジ等で形成することができる。このインク吸収部材１６の露出面は、支持部材５ｇが用紙６を支持する面よりも低くなっており、用紙６と接することはない。
【００２２】
複数のインク受け縦部分５ｃ、５ｄ、５ｅ、５ｆのうち、一対のインク受け縦部分５ｃはＡ３サイズの用紙６の左右端がそれぞれ真上を通過するように配置されており、他の一対のインク受け縦部分５ｄはＢ４サイズの用紙６の左右端がそれぞれ真上を通過するように配置されており、他の一対のインク受け縦部分５ｅはＡ４サイズの用紙６の左右端がそれぞれ真上を通過するように配置されており、他の一対のインク受け縦部分５ｆはＢ５サイズの用紙６の左右端がそれぞれ真上を通過するように配置されている。
また、複数のインク受け横部分５ａ、５ｂは、給紙側に配置されている給紙側インク受け横部分５ａと、排紙側に配置されている排紙側インク受け横部分５ｂとからなる。
【００２３】
上述の構成により、用紙６の縁部に余白を残すことなく印刷する、いわゆる四辺縁無し印刷を行うことが可能となる。すなわち、Ａ３サイズの用紙６の四辺縁無し印刷を行う場合、用紙６の下側の縁（給紙方向Ｆの下流側の縁）の部分は、図２に示す位置において、インク受け横部分５ｂまで印刷領域が拡張された状態で印刷される。また、用紙６の左右の縁（給紙方向Ｆに平行な縁）の部分も同様に、インク受け縦部分５ｃまで印刷領域が拡張された状態で印刷される。そして最後に、用紙６の上側の縁（給紙方向Ｆの上流側の縁）が、インク受け横部分５ａまで印刷領域が拡張された状態で印刷される。このとき、インク受け部分５ａ、５ｂ、５ｃに吐出されたインクはインク吸収部材１６に吸収されるため、支持部材５ｇをインクで汚すことがなく、また、支持部材５ｇの汚れが次の用紙６に転写されて用紙６を汚すこともない。
【００２４】
図３は、プリンタの外観構成を示す概略斜視図である。
図３に示すように、プリンタ１００はその外観において、フレーム基体９（図１参照）を覆うケース２０と、操作パネル２１と、用紙６をストックする給紙トレー２４と、印刷された用紙６を支持するための排紙トレー２３と、を備えている。
【００２５】
ケース２０は、用紙６の印刷面６ａにほぼ対向するように展延された上面部２０ａと、ガイドロッド４の両端側に展延された側面部２０ｂ，２０ｂと、排紙トレー２３側を覆う正面部２０ｃと、給紙トレー２４側を覆う背面部２０ｄと、を備えている。図示されていないプリンタ１００の底部は、フレーム基体９（図１参照）の一部が露出した状態であり、すなわちケース２０は、フレーム基体９（図１参照）の上方からこれを覆うように構成されている。
また、ケース２０の上面部２０ａから正面部２０ｃにかけての一部は、ユーザが機体内のメンテナンス（インクカートリッジ７の交換等）を行うために開閉可能に構成された開閉蓋２２となっている。
【００２６】
ケース２０における上面部２０ａと側面部２０ｂ，２０ｂとの境界付近には、上面部２０ａおよび側面部２０ｂ，２０ｂに対してそれぞれ傾斜した面をなす通気口形成部２０ｅ，２０ｅが形成されており、この通気口形成部２０ｅ，２０ｅには、貫通孔である通気口３０，３０が設けられている。通気口３０，３０は、吐出ヘッド１２の走査の延長上の位置Ｐに対しての直上の位置にあたり、吐出ヘッド１２の走査によってケース２０内に発生する気流の排気経路をなす。詳しくは後述する。
【００２７】
図４は、通気口周辺を拡大して示した断面図である。
図４において、通気口３０の内側には、通気口３０と連通する筒状の流路を形成するように、通気口形成部２０ｅの内壁から延出して形成された整流部材３１が設けられている。この整流部材３１は、ケース内方から通気口３０に向かって当該筒状の流路の断面積が小さくなるような形状をしており、ケース２０内に生じた気流を通気口３０の方へ効果的に導く誘導手段としての機能を果たすものである。
【００２８】
また、通気口３０の内側には、整流部材３１の周囲をさらに囲むように、枠状のフィルタ取り付け部材３３が取り付けられており、さらに、フィルタ取り付け部材３３の開口３３ａを覆うようにフィルタ３２が取り付けられている。フィルタ３２には、粗く編み込まれた吸水性の繊維や、スポンジ様の多孔質部材が用いられており、適度な通気性と適度な吸液性とを有している。かくして、通気口３０を通じてケース２０内から排気される気流がフィルタ３２を通過する際において、当該気流中に微粒子化したインク（ミスト）が含まれる場合には、フィルタ３２によってこれを除去することができる。すなわち、フィルタ３２は捕集手段としての機能を果たすものである。
【００２９】
図５は、プリンタのケース内を簡略化して示した正面図である。以下では、図５を参照して、印刷時（走査時）におけるケース内の気流の様子と、通気口の作用について説明する。
【００３０】
図５に示すように、プリンタ１００は、キャリッジ１に搭載された吐出ヘッド１２を図の左右方向に走査しつつ、ノズル形成面１２ａのノズルからインク滴をプラテン５上の用紙６に吐出して、印刷を行う。このとき、用紙６の印刷面６ａに着弾したインク滴のうちのごく一部が跳ね返り、微粒子化したインク（ミスト）となって、ノズル形成面１２ａと印刷面６ａとの間の空間１９に漂うことがある。また、いわゆる四辺縁無し印刷を行う場合には、インク吸収部材１６（図２参照）に対してもインク滴の吐出を行うが、インク吸収部材１６（図２参照）の露出面は印刷面６ａに比してノズル形成面１２ａから遠い位置にあたるため、インク滴の一部が届かずに、ミストとなって空間１９に漂うことがある。
【００３１】
吐出ヘッド１２が矢印Ｓの向き（往路）に走査される場合、キャリッジ１の進行側（図の左側）の雰囲気は、キャリッジ１によって圧縮されて瞬間的に加圧状態となる。一方、キャリッジ１の後方側（図の右側）の雰囲気は、キャリッジ１の移動によって作られる真空のため、瞬間的に減圧状態となる。かくして、このような局所的な圧力のばらつきを補償するために、ケース２０内には矢印ｆ１〜ｆ６で示すような気流が生じる。
【００３２】
矢印ｆ６で示す気流は、空間１９からケース２０内の上方へ向かう上昇気流である。すなわち、インク滴の吐出後において空間１９に漂うミストは、キャリッジ１の後方に生じる矢印ｆ６で示す上昇気流によって巻き上げられることになる。
【００３３】
一方、矢印ｆ１，ｆ２で示す気流は、通気口３０，３０を通じてケース２０の内外間で流れる気流である。すなわち、本実施形態のプリンタ１００においては、通気口３０，３０が形成されていることにより、上述のような局所的な圧力補償が矢印ｆ１，ｆ２で示す気流によって効果的に行われる。このため、矢印ｆ３〜ｆ６で示す気流を含むケース２０内を循環する気流の発生が弱められ、ミストがケース２０内全体に分散されにくいという効果をもたらしている。
【００３４】
さらに、本実施形態のプリンタ１００は、矢印ｆ１で示す気流によってケース２０内に浮遊しているミストを進行側の通気口３０付近に集中させることができ、ケース２０内全体にミストが分散されるのを積極的に防ぐことができる。また、図４に示すフィルタ３２によって、通気口３０に集中したミストを効率的に回収し、ケース２０外のミストによる汚染を効果的に予防することができる。
またこのとき、後方側の通気口３０からケース２０内に流入する矢印ｆ２で示す気流が、ケース２０内の空気を進行側の通気口３０の方へ送るように働くため、さらには、通気口３０の近傍には図４に示す整流部材３１が設けられているため、通気口３０へのミストの集中がより効果的なものとなる。
【００３５】
かくして、本実施形態のプリンタ１００においては、ミストによるケース２０内の汚染の広がりが効果的に改善される。
【００３６】
本実施形態のプリンタ１００においては、図３に示したように、通気口３０，３０は吐出ヘッド１２の走査の延長上の位置Ｐの近傍に設けられている。これは、キャリッジ１の位置変化に伴う気流発生のメカニズムに鑑み、走査によって生じる矢印ｆ１，ｆ２で示す気流を効果的に発生させるための配慮である。また、通気口３０，３０は、上面部２０ａの近傍に設けられているが、これは、ケース２０内に巻き上げられたミストが上面部２０ａに滞留しやすいという本願発明者の知見に基づき、このようなミストを効果的に回収するための配慮である。
【００３７】
吐出ヘッド１２が矢印Ｓとは逆の向き（復路）に走査される場合には、キャリッジ１の周囲における圧力変化は上述の場合とは逆となるが、通気口３０，３０は、走査方向の往路の向き、復路の向きの両側に対応して設けられているため、往路の走査の場合と同様のミストの回収効果が期待できる。
【００３８】
図６は、変形例１に係る通気口周辺の拡大断面図である。以下では、先の実施形態と重複する内容については説明を省略し、相違点を中心に変形例１について説明する。
【００３９】
この変形例１においては、通気口３０の内縁および通気口３０と接する通気口形成部２０ｅの内壁に沿って、捕集手段としての吸収材３５が取り付けられている。吸収材３５には吸水性の繊維ないし不織布などが用いられており、通気口３０を通じてケース２０内から排気される気流に含まれるミストを吸着して、これを除去することができる。
また、この変形例１においては、通気口形成部２０ｅの内壁に臨んで、ケース２０の背面部２０ｄ（図３参照）の内壁から円柱状に延出した整流部材３４が設けられている。この整流部材３４は、通気口３０近傍の気流の流れを制御し、通気口３０に当該気流を誘導する誘導手段としての機能を果たすものである。
【００４０】
このような変形例１に係る構成であっても、走査によってケース２０内に発生した気流が通気口３０に効率的に集中する効果により、ミストによるケース２０内の汚染の広がりの改善を図ることができる。また、当該気流に含まれるミストを効率的に回収し、ケース２０外のミストによる汚染の予防を図ることができる。
【００４１】
図７は、変形例２に係るプリンタの外観構成を示す概略斜視図である。以下では、先の実施形態と重複する内容については説明を省略し、相違点を中心に変形例２について説明する。
【００４２】
この変形例２のプリンタ１００においては、円形の開口を有する通気口３０がケース２０の上面部２０ａに３つ設けられている。このように、通気口３０の形状や個数は先の実施形態の態様に限定されるものではない。また、ケース２０における通気口３０の位置についても、先の実施形態の態様に限定されるものではない。また、上述の実施形態ないし変形例２における通気口３０に代えて、または別途、新たな通気口３０を設けたりすることもできる。
【００４３】
本発明は上述の実施形態に限定されない。
例えば、本発明に係る液体吐出装置は、用紙印刷を目的とするいわゆるインクジェットプリンタに限定されるものではなく、発光材料、導電性材料などの各種機能性材料を含んだ機能性液体を工業基板上に吐出するように構成された、表示体製造装置、電極形成装置などの工業用装置も含まれる。
また、各実施形態の各構成はこれらを適宜組み合わせたり、省略したり、図示しない他の構成と組み合わせたりすることができる。
【図面の簡単な説明】
【００４４】
【図１】プリンタの内部構造の一例を示す概略斜視図。
【図２】プラテン及びその周辺を拡大して示した平面図。
【図３】プリンタの外観構成を示す概略斜視図。
【図４】通気口周辺を拡大して示した断面図。
【図５】プリンタのケース内を簡略化して示した正面図。
【図６】変形例１に係る通気口周辺の拡大断面図。
【図７】変形例２に係るプリンタの外観構成を示す概略斜視図。
【符号の説明】
【００４５】
１…走査手段を構成するキャリッジ、２…モータ、３…タイミングベルト、４…ガイドロッド、５…プラテン、６…吐出対象物としての用紙、６ａ…印刷面、７…インクカートリッジ、８…走査手段を構成するキャリッジ移動機構、９…フレーム基体、１２…吐出ヘッド、１２ａ…ノズル形成面、１６…インク吸収部材、１７…搬送機構、１９…空間、２０…ケース、２０ａ…上面部、２０ｂ…側面部、２０ｃ…正面部、２０ｄ…背面部、２０ｅ…通気口形成部、２１…操作パネル、２２…開閉蓋、２３…排紙トレー、２４…給紙トレー、３０…通気口、３１…誘導手段としての整流部材、３２…捕集手段としてのフィルタ、３３…フィルタ取り付け部材、３３ａ…開口、３４…誘導手段としての整流部材、３５…捕集手段としての吸収材、１００…液体吐出装置としてのプリンタ。
【図１】
2006231586.tif 000003
【図２】
2006231586.tif 000004
【図３】
2006231586.tif 000005
【図４】
2006231586.tif 000006
【図５】
2006231586.tif 000007
【図６】
2006231586.tif 000008
【図７】
2006231586.tif 000009